(57)【要約】【課題】複数のサーマルヘッドを用いずに複数の色を印刷でき、且つメーカーが効率よく容易にバリエーションを増やすことが可能なテープカセットを提供する。【解決手段】テープカセット１は、サーマルヘッド６４を備えたテープ印刷装置に装着できる。テープカセット１は、筐体と、第一感熱テープ２２と、第二感熱テープ３２と、貼り合わせ部４３とを備える。第一感熱テープ２２は、温度が所定の発色温度範囲となることで発色する黒色発色層を有する長尺状のテープである。第二感熱テープ３２は、黒色発色層とは異なる温度範囲で発色する発色層を備える長尺状のテープである。貼り合わせ部４３は、搬送経路のうち印刷位置５３よりも上流側で、第一感熱テープ２２と第二感熱テープ３２とを貼り合わせる。【選択図】図２
2012245769.tif 000002
【特許請求の範囲】
【請求項１】
サーマルヘッドを備えたテープ印刷装置に装着可能なテープカセットであって、
筐体と、
前記筐体に収納され、温度が所定の発色温度範囲となることで発色する第一発色層を有する透明な長尺状のテープである第一感熱テープと、
前記第一発色層の発色温度範囲とは異なる発色温度範囲で発色する第二発色層を有する長尺状のテープであり、前記第一感熱テープに貼り合わされていない状態で前記筐体に収納される第二感熱テープと、
前記筐体内部における前記第一感熱テープおよび前記第二感熱テープの搬送経路のうち、前記サーマルヘッドによる印刷が行われる位置よりも上流側で、搬送される前記第一感熱テープと前記第二感熱テープとを貼り合わせる貼り合わせ部と
を備えたことを特徴とするテープカセット。
【請求項２】
前記貼り合わせ部は、回転軸を平行にした状態で対向配置される一対の貼り合わせローラを備え、
前記一対の貼り合わせローラは、各々の外周面の間で前記第一感熱テープと前記第二感熱テープとを挟んで回転することで、前記第一感熱テープと前記第二感熱テープとを貼り合わせることを特徴とする請求項１に記載のテープカセット。
【請求項３】
前記第一感熱テープが有する前記第一発色層は、黒色に発色する層である黒色発色層を含むことを特徴とする請求項１または２に記載のテープカセット。
【請求項４】
前記貼り合わせ部によって貼り合わされたテープのうち前記第一感熱テープ側が、前記テープ印刷装置の前記サーマルヘッドに接触し、
前記第一発色層および前記第二発色層の各々の発色温度範囲は、前記サーマルヘッドに接触する面から遠い層ほど低いことを特徴とする請求項３に記載のテープカセット。
【請求項５】
前記第一発色層および前記第二発色層は、前記サーマルヘッドに接触する面から遠い層ほど、発色するために必要な受熱時間が長いことを特徴とする請求項１から４のいずれかに記載のテープカセット。
【請求項６】
前記第一感熱テープのうち前記第二感熱テープに貼り合わされる面、および前記第二感熱テープのうち前記第一感熱テープに貼り合わされる面の少なくともいずれかに、前記第一感熱テープと前記第二感熱テープとを接着する粘着剤層をさらに備えたことを特徴とする請求項１から５のいずれかに記載のテープカセット。
【請求項７】
前記搬送経路のうち前記サーマルヘッドによる印刷が行われる位置よりも下流側に、前記貼り合わせ部によって貼り合わされたテープを搬送するテープ送りローラをさらに備えたことを特徴とする請求項１から６のいずれかに記載のテープカセット。
【発明の詳細な説明】
【技術分野】
【０００１】
本発明は、複数の色で印刷することが可能な長尺状のテープを収納するテープカセットに関する。
【背景技術】
【０００２】
従来、複数の色で印刷されたラベルテープを作成するための技術が知られている。例えば、特許文献１が開示しているテープ印字装置は２つのサーマルヘッドを備える。テープ印字装置が装着するテープカセットは、透明テープ、印字リボン、および感熱両面テープを収納している。テープ印字装置の第一サーマルヘッドは、印字リボンによって透明テープに対する印字を行う。第二サーマルヘッドは、感熱両面テープに熱を加えて印字を行う。印字リボンから透明テープに転写される色と、感熱両面テープで発色される色とは異なる。テープ印字装置は、透明テープおよび感熱両面テープの各々に対する印字が完了した後に、２つのテープを貼り合わせて外部に排出する。
【先行技術文献】
【特許文献】
【０００３】
【特許文献１】特開平６−１００６号公報
【発明の概要】
【発明が解決しようとする課題】
【０００４】
特許文献１に記載の技術では２つのサーマルヘッドが必要となるため、テープ印刷装置の構成を簡素化することが困難である。一方で、１つのテープを収納したテープカセットを用いる場合、テープカセットのバリエーションを複数用意するためには、メーカーは予めバリエーションの数だけテープを製造してテープカセットに収納する必要があり、効率が悪かった。
【０００５】
本発明は、複数のサーマルヘッドを用いずに複数の色を印刷でき、且つメーカーが効率よく容易にバリエーションを増やすことが可能なテープカセットを提供することを目的とする。
【課題を解決するための手段】
【０００６】
本発明に係るテープカセットは、サーマルヘッドを備えたテープ印刷装置に装着可能なテープカセットであって、筐体と、前記筐体に収納され、温度が所定の発色温度範囲となることで発色する第一発色層を有する透明な長尺状のテープである第一感熱テープと、前記第一発色層の発色温度範囲とは異なる発色温度範囲で発色する第二発色層を有する長尺状のテープであり、前記第一感熱テープに貼り合わされていない状態で前記筐体に収納される第二感熱テープと、前記筐体内部における前記第一感熱テープおよび前記第二感熱テープの搬送経路のうち、前記サーマルヘッドによる印刷が行われる位置よりも上流側で、搬送される前記第一感熱テープと前記第二感熱テープとを貼り合わせる貼り合わせ部とを備える。
【０００７】
本発明に係るテープカセットによると、テープ印刷装置は、１つのサーマルヘッドの発熱温度を調整することで、複数の色で印刷されたラベルテープを作成できる。複数のサーマルヘッドを備える必要が無い。さらに、メーカーは、第一感熱テープと第二感熱テープとを別々に作成し、適宜組み合わせて筐体に収納することで、テープカセットのバリエーションを効率よく増やすことができる。
【０００８】
前記貼り合わせ部は、回転軸を平行にした状態で対向配置される一対の貼り合わせローラを備えてもよい。前記一対の貼り合わせローラは、各々の外周面の間で前記第一感熱テープと前記第二感熱テープとを挟んで回転することで、前記第一感熱テープと前記第二感熱テープとを貼り合わせてもよい。一対の貼り合わせローラが回転しながら２つの感熱テープを貼り合わせるため、貼り合わせる際にしわや気泡の発生をなくし、確実に密着できる。また、テープを傷つける可能性を低下させることができる。
【０００９】
前記第一感熱テープが有する前記第一発色層は、黒色に発色する層である黒色発色層を含んでもよい。ユーザは、透明な第一感熱テープ側（表側）から印刷結果を視認する。従って、黒色を印刷した際に、黒色発色層よりも裏側の層（例えば、第二発色層）が黒色発色層と共に発色してしまった場合でも、黒色発色層よりも裏側の層の発色部分は表側の黒色によって覆われる。よって、テープ印刷装置は、輪郭がくっきりとした鮮明な黒色を印刷することができる。
【００１０】
前記貼り合わせ部によって貼り合わされたテープのうち前記第一感熱テープ側が、前記テープ印刷装置の前記サーマルヘッドに接触してもよい。前記第一発色層および前記第二発色層の各々の発色温度範囲は、前記サーマルヘッドに接触する面から遠い層ほど低くてもよい。この場合、サーマルヘッドの熱が第一感熱テープ側から与えられることで、テープにおける熱の拡散状態が僅かなうちに、サーマルヘッドの熱が第一感熱テープの第一発色層に与えられる。第一発色層は、第二発色層よりも高い温度で発色する。さらに、第一発色層は隠蔽性が高い黒色発色層を含む。よって、第一発色層を発色させるための熱が第二感熱テープの第二発色層に拡散し、第二発色層が意図せず発色してしまった場合でも、第二発色層の発色は黒色によって隠蔽される。従って、第一発色層を高い温度で発色させれば、第二発色層の発色による混色を抑えることができ、輪郭がくっきりとした鮮明な印刷を行うことができる。
【００１１】
前記第一発色層および前記第二発色層は、前記サーマルヘッドに接触する面から遠い層ほど、発色するために必要な受熱時間が長くてもよい。この場合、サーマルヘッドによって熱を与える時間を短くすることで、サーマルヘッドに近い層を単独で発色させることができる。従って、輪郭がくっきりとした鮮明な印刷を行うことができる。
【００１２】
前記第一感熱テープのうち前記第二感熱テープに貼り合わされる面、および前記第二感熱テープのうち前記第一感熱テープに貼り合わされる面の少なくともいずれかに、前記第一感熱テープと前記第二感熱テープとを接着する粘着剤層をさらに備えてもよい。この場合、第一感熱テープと第二感熱テープを強固に接着させることができる。
【００１３】
前記搬送経路のうち前記サーマルヘッドによる印刷が行われる位置よりも下流側に、前記貼り合わせ部によって貼り合わされたテープを搬送するテープ送りローラをさらに備えてもよい。この場合、テープ送りローラは、テープ印刷装置のローラと協働することで確実にテープを送り出すことができる。
【図面の簡単な説明】
【００１４】
【図１】テープカセット１を左斜め前方から見た斜視図である。
【図２】テープ印刷装置のカセット装着部６０に装着されたテープカセット１の平面図である。
【図３】貼り合わせ済テープ５１の拡大斜視図である。
【図４】貼り合わせ済テープ５１の各発色層の発色特性を示すグラフである。
【図５】サーマルヘッド６４の駆動電圧の波形と貼り合わせ済テープ５１に対する印刷結果とを比較した図である。
【図６】変形例に係る貼り合わせ済テープの各発色層の発色特性を示すグラフである。
【発明を実施するための形態】
【００１５】
以下、本発明を具現化した一実施の形態であるテープカセット１について、図面を参照して説明する。参照する図面は、本発明が採用し得る技術的特徴を説明するために用いられるものである。図面に記載されているテープカセット１の構成等は、それのみに限定する趣旨ではなく、単なる説明例である。
【００１６】
以下の説明では、図１の右下側および図２の下側をテープカセット１の前側とする。図１の左上側および図２の上側をテープカセット１の後側とする。図１および図２の右側をテープカセット１の右側とする。図１および図２の左側をテープカセット１の左側とする。図１および図２の紙面手前側をテープカセット１の上側とする。図１および図２の紙面奥側をテープカセット１の下側とする。図２に示すテープカセット１は、上ケース８（図１参照）が取り外された状態のものである。
【００１７】
図１を参照して、テープカセット１の概略構成について説明する。テープカセット１は、全体として平面視で丸みを帯びた角を有する略直方体状（箱型）の筐体２を有する。筐体２は、下ケース３と上ケース８を備える。下ケース３は、板状の底壁４（図２参照）と、底壁４の外周縁から上方へ立設する側壁５とを備える。上ケース８は、上壁９と、上壁の外周縁から下方へ立設する側壁１０とを備える。下ケース３と上ケース８とが嵌合して固定されることで筐体２が形成される。筐体２の内部には空間が形成される。筐体２は、内部に形成される空間にテープ等を収納する。
【００１８】
筐体２は、平面視で直角をなすように外側方向に突出する角部１２を、４つの角のうちの３箇所に有する。筐体２の左前方の角にはテープ排出口１３が設けられているため、左前方の角には角部１２は設けられていない。角部１２は、テープカセット１がテープ印刷装置（図示外）のカセット装着部６０に装着された場合に、カセット装着部６０の所定箇所に当接して支持される。
【００１９】
テープカセット１の前側にはアーム部１４が設けられている。アーム部１４は、後述する貼り合わせ済テープ５１を案内し、開口１５から送出する。アーム部１４の後方にはヘッド装着部１６が設けられている。テープカセット１がテープ印刷装置のカセット装着部６０に装着されると、テープ印刷装置のヒートシンク６３がヘッド装着部１６に挿入される（図２参照）。
【００２０】
上ケース８の上壁９には３つの支持穴１７〜１９が設けられている。支持穴１７は、上壁９の中心よりもやや左方に位置する。支持穴１８は、上壁９の中心よりもやや右斜め後方に位置する。支持穴１９は、上壁９の中心よりもやや右斜め前方に位置する。下ケース３には、上ケース８の３つの支持穴１７〜１９の各々の鉛直下方に支持穴（図示外）が設けられている。支持穴１７は、対向する下ケース３の支持穴と共に第一テープスプール２１を回転可能に支持する。同様に、支持穴１８は第二テープスプール３１を、支持穴１９は中空ローラ４１を、それぞれ回転可能に支持する。
【００２１】
図２を参照して、テープカセット１の内部構造について説明する。第一テープスプール２１には、長尺状の第一感熱テープ２２が平面視反時計回りの向きに巻回されている。第二テープスプール３１には、長尺状の第二感熱テープ３２が平面視時計回りの向きに巻回されている。第一感熱テープ２２および第二感熱テープ３２の詳細については後述する。
【００２２】
第一テープスプール２１の右斜め前方には、テープ印刷装置のリボン巻き取り軸６１が挿通される円筒状の中空ローラ４１が設けられている。リボン巻き取り軸６１は、インクリボンを備えたテープカセット（図示外）がカセット装着部６０に装着された際に、リボン巻き取りスプール（図示外）の中心に挿入されて、リボン巻き取りスプールを回転させる。その結果、インクリボンはリボン巻き取りスプールに巻き取られる。本実施形態に係るテープカセット１はインクリボンおよびリボン巻取りスプールを備えていないが、リボン巻き取り軸６１を備えたテープ印刷装置に装着することもできるように形成されている。中空ローラ４１は、回転可能な状態でリボン巻き取り軸６１の周囲を覆い、第一感熱テープ２２に接触する。その結果、第一感熱テープ２２は、リボン巻き取り軸６１を迂回して円滑に、後述する貼り合わせ部４３に搬送される。なお、第一感熱テープ２２の破損を防止するためには、回転可能な中空ローラ４１を用いて摩擦力を低下させることがより望ましい。しかし、中空ローラ４１の代わりに、第一感熱テープ２２との間の接触面が滑らかに湾曲したリブ等を用いてもよい。
【００２３】
テープカセット１の内部における右前の角部近傍には、貼り合わせ部４３が設けられている。貼り合わせ部４３は、第一貼り合わせローラ４４と、第二貼り合わせローラ４６と、リブ４８と、板ばね５０とを備える。第一貼り合わせローラ４４は、上下方向に延びる回転軸４５を中心として回転可能な状態で保持されている。第二貼り合わせローラ４６は、第一貼り合わせローラ４４の右方に対向配置されている。リブ４８は、下ケース３の右側の側壁５から左方に延びている。リブ４８には、左右方向を長径とする長穴４９が上下方向に貫通している。長穴４９には、上下方向に延びる第二貼り合わせローラ４６の可動回転軸４７が、回転可能且つ左右方向に揺動可能な状態で保持されている。板ばね５０は、下ケース３の下側の側壁５から上方に延びており、第二貼り合わせローラ４６の可動回転軸４７を左方に付勢している。第一感熱テープ２２および第二感熱テープ３２は、第一貼り合わせローラ４４と第二貼り合わせローラ４６の間で貼り合わされる。
【００２４】
以上のように、貼り合わせ部４３では、一対の貼り合わせローラ４４，４６が回転しながら第一感熱テープ２２と第二感熱テープ３２とを各々の外周面の間に挟んで貼り合わせる。従って、貼り合わせる際に感熱テープ２２，３２を傷つける可能性を低下させることができる。さらに、第二貼り合わせローラ４６は第一貼り合わせローラ４４へ向けて付勢されている。よって、貼り合わせ部４３は、２つの感熱テープ２２，３２を押圧しながら確実に貼り合わせることができる。また、しわや気泡の発生をなくすこともできる。
【００２５】
２つの感熱テープ２２，３２が貼り合わされた状態のテープを、以下では貼り合わせ済テープ５１という。貼り合わせ済テープ５１は、貼り合わせ部４３からアーム部１４に案内され、開口１５から外部に搬送される。前述したように、アーム部１４の後方にはヘッド装着部１６が設けられている。ヘッド装着部１６は、アーム部１４の背面と、アーム部１４の背面から連続して設けられた周壁面とによって囲まれた空間であり、テープカセット１を上下方向に貫通する。テープカセット１がカセット装着部６０に装着されると、テープ印刷装置のヒートシンク６３がヘッド装着部１６に挿入される。ヒートシンク６３の前方の壁面にはサーマルヘッド６４が固定されている。貼り合わせ済テープ５１の一方の面はサーマルヘッド６４に対向する。サーマルヘッド６４は、開口１５から外部に搬送された貼り合わせ済テープ５１に熱を加えることで、貼り合わせ済テープ５１に対する印刷を実行し、ラベルテープを作成する。つまり、貼り合わせ済テープ５１の搬送経路のうち、サーマルヘッド６４に対向する位置（アーム部１４の開口１５の左方の位置）が、テープカセット１における印刷位置５３となる。作成されたラベルテープは、テープ排出口１３からテープカセット１の外部へ排出される。
【００２６】
貼り合わせ済テープ５１の搬送方向における印刷位置５３の下流側、つまり、テープカセット１の左下の角では、中空のテープ送りローラ５２が回転可能に保持されている。テープ送りローラ５２の内部には複数の爪部が形成されている。テープカセット１がカセット装着部６０に装着されると、テープ印刷装置のテープ駆動軸６６がテープ送りローラ５２に挿入されて、テープ駆動軸６６の外周に設けられたリブがテープ送りローラ５２の爪部と噛み合う。テープ送りローラ５２は、テープ駆動軸６６によって回転されることで、後述する可動搬送ローラ７１と共に貼り合わせ済テープ５１を確実に搬送することができる。
【００２７】
テープ印刷装置のカセット装着部６０の前側には、アーム状のプラテンホルダ６８が設けられている。プラテンホルダ６８は、右端の軸支部６９を中心に揺動可能に支持されている。プラテンホルダ６８の先端側には、プラテンローラ７０と可動搬送ローラ７１とが回転可能に保持されている。プラテンローラ７０はサーマルヘッド６４に相対して接離可能に設けられており、可動搬送ローラ７１はテープ送りローラ５２に相対して接離可能に設けられている。テープ印刷装置では、カセット装着部６０を覆うカバー（図示外）が閉鎖されると、プラテンホルダ６８がヒートシンク６３に近づく方向（時計回り方向）に移動する。その結果、プラテンローラ７０は貼り合わせ済テープ５１をサーマルヘッド６４に押圧し、印刷可能な状態となる。可動搬送ローラ７１は貼り合わせ済テープ５１をテープ送りローラ５２に押圧し、搬送可能な状態となる。
【００２８】
図３を参照して、第一感熱テープ２２および第二感熱テープ３２の構造について説明する。前述したように、第一感熱テープ２２と第二感熱テープ３２とが貼り合わされることで貼り合わせ済テープ５１が形成され、貼り合わせ済テープ５１に対して１つのサーマルヘッド６４によって印刷が行われる。貼り合わせ済テープ５１のうち第一感熱テープ２２側の面（図３の上方の面）が、サーマルヘッド６４に接触する面である。以下の説明では、図３の上方を表面側、図３の下方を裏面側として説明を行う。ユーザは、貼り合わせ済テープ５１に印刷された結果を表面側（第一感熱テープ２２側）から視認する。
【００２９】
第一感熱テープ２２は、透明な１または複数の層によって形成される。従って、ユーザは、表面側から貼り合わせ済テープ５１を視認した場合に、第一感熱テープ２２の裏面側に貼り合わされた第二感熱テープ３２に対する印刷結果を視認することができる。第一感熱テープ２２が備える層は、透明であれば有色であってもよいし、模様が施されていてもよい。本実施の形態に係る第一感熱テープ２２は、受熱することで黒色に発色する透明な黒色発色層２３を備える。黒色は、後述する第二感熱テープ３２が発色する色よりも隠蔽性が高い色である。従って、黒色発色層２３を発色させた場合、第二感熱テープ３２が黒色発色層２３と共に発色してしまった場合でも、第二感熱テープ３２の発色部分は表面側の黒色によって覆われる。よって、輪郭がくっきりとした鮮明な黒色が印刷される。なお、第一感熱テープ２２は、例えば黒色以外の紺色、茶色等、第二感熱テープ３２が発色する色よりも隠蔽性が高い色に発色する層を備えれば、第二感熱テープ３２の発色部分を覆うことができる。さらに、図示しないが、第一感熱テープ２２は、黒色発色層２３よりも表面側に、黒色発色層２３を保護するオーバーコート層を備える。
【００３０】
第二感熱テープ３２は、表面側から順に、粘着剤層３３、イエロー発色層３４、マゼンタ発色層３５、シアン発色層３６、基材３７、および剥離紙３８を備える。粘着剤層３３は、第一感熱テープ２２と第二感熱テープ３２とを強固に接着する。イエロー発色層３４、マゼンタ発色層３５、およびシアン発色層３６は、受熱することでそれぞれイエロー、マゼンタ、およびシアンに発色する。イエロー、マゼンタ、およびシアンの各々の発色を調整することで、第二感熱テープ３２では様々な色が表現される。イエロー発色層３４、マゼンタ発色層３５、およびシアン発色層３６はいずれも透明な層であるため、ユーザは全ての層の発色を視認することができる。基材３７は、第二感熱テープ３２が備える他の層を支持する土台となる。基材３７は透明でも不透明でもよい。さらに、基材３７の裏面側には粘着剤が塗布されている。剥離紙３８は、基材３７の裏面に接離可能に設けられており、基材３７の粘着剤を保護している。ユーザは、剥離紙３８を取り除くことで、貼り合わせ済テープ５１を粘着剤によって所望の場所に貼り付けることができる。なお、図示しないが、イエロー発色層３４、マゼンタ発色層３５、およびシアン発色層３６の各々の間には中間層が積層されている。
【００３１】
図４を参照して、黒色発色層２３、イエロー発色層３４、マゼンタ発色層３５、およびシアン発色層３６の各々の発色温度範囲および必要受熱時間について説明する。発色温度範囲とは、発色層が発色するために必要な温度の範囲である。必要受熱時間とは、発色層が発色するために発色温度範囲を維持する必要がある時間である。
【００３２】
第一感熱テープ２２が有する発色層の発色温度範囲と、第二感熱テープ３２が有する発色層の発色温度範囲とは異なる。詳細には、第一感熱テープ２２および第二感熱テープ３２が有する複数の発色層の各々の発色温度範囲は、全て異なる。従って、テープ印刷装置は、貼り合わせ済テープ５１に加える温度を調整することで、所定の発色層を発色させることができる。
【００３３】
図４のグラフでは、「Ｂ」が黒色発色層２３、「Ｙ」がイエロー発色層３４、「Ｍ」がマゼンタ発色層３５、「Ｃ」がシアン発色層３６を示す。図４に示すように、本実施の形態では、黒色発色層２３、イエロー発色層３４、マゼンタ発色層３５、シアン発色層３６の順に発色温度範囲が低くなるように設定されている。つまり、サーマルヘッド６４に接触する表面から遠い層ほど、発色温度範囲は低くなる。具体的には、黒色発色層２３の発色温度範囲は約１９０℃、イエロー発色層３４の発色温度範囲は約１６０℃、マゼンタ発色層３５の発色温度範囲は約１３０℃、シアン発色層３６の発色温度範囲は約１００℃である。裏面側の層の発色温度範囲が低いので、裏面側の層だけを発色させる場合には、サーマルヘッド６４の温度を低くすればよい。一方、黒色を発色させる場合にはサーマルヘッドの温度を高くすればよい。ここで、黒色を発色させるための熱が仮に裏面側の層に伝わって、イエロー等の色が発色してしまっても、イエロー等の発色は隠蔽性が高い黒色に覆われて視認されない。よって、テープカセット１によると、テープ印刷装置は混色を抑制して目的の色を正確に印刷することができる。
【００３４】
さらに、図４に示すように、サーマルヘッド６４に接触する表面から遠い層ほど、必要受熱時間は長くなる。具体的には、黒色発色層２３の必要受熱時間は約１ｍｓ、イエロー発色層３４の必要受熱時間は約３ｍｓ、マゼンタ発色層３５の必要受熱時間は約５ｍｓ、シアン発色層３６の必要受熱時間は約８ｍｓである。従って、サーマルヘッド６４によって熱を与える時間を調整することで、目的の色を正確に印刷することができる。詳細には、短い時間で高い温度を貼り合わせ済テープ５１に与えることで、裏面側の層への熱の拡散状態が僅かなうちに表面側の層を発色させることができる。裏面側の層の温度は発色温度範囲に達し難く、且つ時間も必要受熱時間に達し難いため、裏面側の層を発色させずに表面側の層だけを発色させることができる。よって、テープ印刷装置は混色を抑制して目的の色を正確に印刷することができる。
【００３５】
図５を参照して、貼り合わせ済テープ５１を発色させるための制御方法について説明する。図５の上段は、サーマルヘッド６４によって印刷が行われた貼り合わせ済テープ５１を模式的に示す平面図である。貼り合わせ済テープ５１は、プラテンローラ７０によってサーマルヘッド６４に押圧され、且つ図５の左方に搬送されながら、サーマルヘッド６４の熱によって発色する。図５の下段は、サーマルヘッド６４に印加する駆動電圧の波形を印刷箇所と比較して示す説明図である。なお、図５において点線で囲まれる領域は、サーマルヘッド６４の駆動電圧を「ＯＦＦ」から「ＯＮ」に変更すると発色する領域を示す。
【００３６】
貼り合わせ済テープ５１に対する印刷を実行する場合、テープ印刷装置は、サーマルヘッド６４の駆動方法を、ブラック、イエロー、マゼンタ、シアンの各々に対して個別に設定する。本実施の形態では、テープ印刷装置は、ブラック、イエロー、マゼンタ、シアンの順に、サーマルヘッド６４に印加する電力（サーマルヘッド６４の発熱温度）を低くすればよい。また、テープ印刷装置は、ブラック、イエロー、マゼンタ、シアンの順に電圧の印加時間を長くすればよい。図５に示す例では、左側の一印字周期の駆動制御において、ブラックを発色させるための駆動電圧のみが「ＯＦＦ」とされている。その結果、イエロー発色層３４、マゼンタ発色層３５、およびシアン発色層３６が発色する。また、図５の右側の一印字周期の駆動制御では、ブラックを発色させるための駆動電圧のみが「ＯＮ」とされている。その結果、黒色発色層２３のみが発色する。以上のように、サーマルヘッド６４の駆動方法（電力および印加時間）を調整することで、テープ印刷装置は種々の色を貼り合わせ済テープ５１に発色させることができる。
【００３７】
以上説明したように、本実施の形態に係るテープカセット１によると、テープ印刷装置は、１つのサーマルヘッド６４の駆動方法を調整することで、複数の色で印刷されたラベルテープを作成できる。テープ印刷装置はサーマルヘッド６４を複数備える必要がない。さらに、メーカーは、第一感熱テープ２２と第二感熱テープ３２とを別々に作成し、適宜組み合わせて筐体２に収納することで、テープカセットのバリエーションを効率良く増やすことができる。例えば、メーカーは、デザイン（無地、マット調、セピア調等）が異なるＮ種の第一感熱テープ２２を作成する。同様に、基材３７の色、発色の色目等が異なるＭ種の第二感熱テープ３２を作成する。この場合、Ｎ種の第一感熱テープ２２の１つと、Ｍ種の第二感熱テープ３２の１つとを適宜選択して筐体２に収納することで、Ｎ×Ｍ種のバリエーションのテープカセット１を容易に作成することができる。Ｎ×Ｍ種の貼り合わせ済テープ５１を予め作成しておく場合に比べて、在庫管理等も容易である。
【００３８】
第一感熱テープ２２と第二感熱テープ３２とを予め貼り合わせて１つのロールにし、筐体２に収納すると、テープの収納位置および収納量が制限されやすい。第一感熱テープ２２と第二感熱テープ３２とを別々にロール状にして筐体２に収納することで、より自由にテープを筐体２に収納することができる。具体的には、筐体２の内部には、中空ローラ４１、アーム部１４、ヘッド装着部１６等の多数の部材が設けられている。しかし、２つの感熱テープ２２，３２を別々に収納することで、部材の隙間を有効活用して容易に感熱テープ２２，３２を収納することができる。
【００３９】
テープカセット１は、一対の貼り合わせローラ（第一貼り合わせローラ４４および第二貼り合わせローラ４６）を回転させながら２つの感熱テープ２２，３２を貼り合わせる。従って、貼り合わせる際に感熱テープ２２，３２を傷つける可能性を低下させることができる。しわや気泡が生じる可能性も低下する。また、板ばね５０が第二貼り合わせローラ４６を第一貼り合わせローラ４４へ付勢するため、２つの感熱テープ２２，３２を押圧しながら確実に貼り合わせることができる。
【００４０】
第一感熱テープ２２は、黒色に発色する層である黒色発色層２３を含む。従って、貼り合わせ済テープ５１に黒色が印刷された場合に、黒色発色層２３よりも裏面側の層が黒色発色層２３と共に意図せず発色してしまった場合でも、意図せず発色した層は黒色によって覆われる。よって、テープ印刷装置は、輪郭がくっきりとした鮮明な黒色を印刷することができる。
【００４１】
サーマルヘッド６４の熱は、貼り合わせ済テープ５１における熱の拡散状態が僅かなうちに、第一感熱テープ２２の黒色発色層２３に与えられる。黒色発色層２３は、第二感熱テープ３２の発色層３４〜３６よりも高い温度で発色する。よって、黒色発色層２３を発色させるための熱が第二感熱テープ３２に拡散し、第二感熱テープ３２の発色層３４〜３６のいずれかが意図せず発色してしまった場合でも、第二感熱テープ３２で生じた発色は黒色によって隠蔽される。従って、テープ印刷装置は、黒色発色層２３を高い温度で発色させれば、第二感熱テープ３２の発色層３４〜３６の発色による混色を抑えることができ、輪郭がくっきりとした鮮明な印刷を行うことができる。
【００４２】
貼り合わせ済テープ５１が有する複数の発色層の各々の必要受熱時間は、サーマルヘッド６４に接触する面から遠い層ほど長い。従って、テープ印刷装置は、サーマルヘッド６４によって熱を与える時間を短くすることで、サーマルヘッド６４に近い層を単独で発色させることができる。よって、輪郭がくっきりとした鮮明な印刷を行うことができる。
【００４３】
第二感熱テープ３２のうち第一感熱テープ２２に貼り合わされる面には粘着剤層が設けられている。よって、テープカセット１は、第一感熱テープ２２と第二感熱テープ３２とを強固に接着させることができる。また、テープの搬送経路のうち、印刷位置５３よりも下流側に、テープ送りローラ５２が設けられている。従って、テープカセット１は、テープ印刷装置の可動搬送ローラ７１と協働することで確実に貼り合わせ済テープ５１を送り出すことができる。
【００４４】
上記実施の形態において、黒色発色層２３が本発明の「第一発色層」に相当する。イエロー発色層３４、マゼンタ発色層３５、およびシアン発色層３６が「第二発色層」に相当する。第一貼り合わせローラ４４および第二貼り合わせローラ４６が「一対の貼り合わせローラ」に相当する。
【００４５】
本発明は上記実施の形態に限定されることはなく、様々な変形が可能であることは言うまでもない。例えば、各発色層の発色温度範囲および必要受熱時間は変更できる。図６を参照して、テープカセット１の変形例に係る黒色発色層２３、イエロー発色層３４、マゼンタ発色層３５、およびシアン発色層３６の各々の発色温度範囲および必要受熱時間について説明する。図６に示す変形例では、各発色層の発色温度範囲は上記実施の形態と同じである。イエロー発色層３４、マゼンタ発色層３５、およびシアン発色層３６の必要受熱時間も、上記実施の形態と同じである。しかし、黒色発色層２３の必要受熱時間は、上記実施の形態とは異なり、イエロー発色層３４、マゼンタ発色層３５、およびシアン発色層３６の必要受熱時間の全てを含んでいる。図６に示す変形例のように、黒色発色層２３の必要受熱時間の幅を広く設定しても本発明は実現できる。
【００４６】
また、前述したように、各発色層の発色温度範囲は、サーマルヘッド６４から遠い層ほど低く設定することが望ましい。しかし、各発色層の発色温度範囲が互いに異なれば、サーマルヘッド６４の温度を調整することで種々の色を発色させることができるため、本発明は実現できる。また、各発色層の必要受熱時間は、サーマルヘッド６４から遠い層ほど長く設定することが望ましい。しかし、各発色層の必要受熱時間を変更しても本発明は実現可能である。例えば、各発色層の必要受熱時間を均一に設定しても本発明は実現できる。
【００４７】
第一感熱テープ２２が有する発色層（第一発色層）の色および数と、第二感熱テープ３２が有する発色層（第二発色層）の色および数は、適宜変更が可能である。例えば、第一発色層を１つの層（例えば、青色発色層）とし、且つ第二発色層を１つの層（例えば、赤色発色層）としてもよい。また、上記実施の形態の第一発色層は黒色発色層２３のみであるが、複数の発色層で第一発色層を構成してもよい。この場合、第一発色層は、隠蔽性の高い色（例えば、黒）に発色する発色層を含んでいることが望ましい。隠蔽性の高い色に発色する発色層を第一発色層が含むことで、第二発色層が意図せず発色した場合の混色を抑制することができる。さらに、隠蔽性の高い色に発色する発色層は、第一発色層のうち最も表面側（ユーザが視認する側）に位置することがより望ましい。この場合、隠蔽性の高い色に発色する発色層は、第二発色層に加え、第一発色層のうち裏面側に位置する層も隠蔽することができるため、さらに鮮明な印刷結果が得られる。
【００４８】
上記実施の形態では、第二感熱テープ３２のうち第一感熱テープ２２に貼り合わされる面に粘着剤層３３が設けられている。しかし、粘着剤層３３は、第一感熱テープ２２の裏面側に設けられてもよいし、第一感熱テープ２２および第二感熱テープ３２の両方に設けられていてもよい。また、第一感熱テープ２２および第二感熱テープ３２の少なくともいずれかが非常に薄く形成されていれば、２つの感熱テープ２２，３２は静電気のみによって強固に貼り合わされる場合がある。このような場合、粘着剤層３３を設ける必要は無い。また、第二感熱テープ３２の基材３７および剥離紙３８も省略することができる。
【００４９】
上記実施の形態では、第一感熱テープ２２および第二感熱テープ３２はいずれもロール状に巻回されて筐体２に収納される。しかし、２つの感熱テープ２２，３２の収納態様は変更できる。例えば、２つの感熱テープ２２，３２の少なくともいずれかを折り畳んだ状態で収納することも可能である。この場合でも、２つの感熱テープ２２，３２を別々に収納して筐体２内で貼り合わせることで、前述した種々の効果が得られる。また、上記実施の形態において、２つの感熱テープ２２，３２が巻回される方向（時計回り方向または反時計回り方向）を適宜変更できることは言うまでもない。
【００５０】
上記実施の形態における貼り合わせ部４３は、板ばね５０によって第二貼り合わせローラ４６を第一貼り合わせローラ４４に付勢することで、強固に２つの感熱テープ２２，３２を貼り合わせることができる。しかし、ローラを付勢せずに２つの感熱テープ２２，３２を貼り合わせることも可能である。また、板ばね５０の代わりにコイルバネ等の他の付勢手段を用いてもよい。第一貼り合わせローラ４４および第二貼り合わせローラ４６の少なくとも一方を、回転不可能なリブ等に替えてもよい。
【符号の説明】
【００５１】
１    テープカセット
２    筐体
１６    ヘッド装着部
２２    第一感熱テープ
２３    黒色発色層
３２    第二感熱テープ
３３    粘着剤層
３４    イエロー発色層
３５    マゼンタ発色層
３６    シアン発色層
４３    貼り合せ部
４４    第一貼り合わせローラ
４６    第二貼り合わせローラ
５１    貼り合わせ済テープ
５２    テープ送りローラ
５３    印刷位置
６０    カセット装着部
６４    サーマルヘッド
【図１】
2012245769.tif 000003
【図２】
2012245769.tif 000004
【図３】
2012245769.tif 000005
【図４】
2012245769.tif 000006
【図５】
2012245769.tif 000007
【図６】
2012245769.tif 000008